(57)【要約】【課題】正確な時刻を表示可能な電子時計、および時刻修正方法を提供する。【解決手段】電子時計１の時分針位置検出制御手段１１４および日車位置検出制御手段１１５は、秒針位置検出制御手段１１３による定期秒針位置検出において秒針２Ａにずれがあると判断されると、定期時分針位置検出および定期日車位置検出よりも早い秒針２Ａの定期秒針位置検出のタイミングで、時分針２Ｂ，２Ｃおよび日車３０の位置検出を実施する。そして、時刻修正手段１１６は、これらの各指針および日車３０の位置検出においてずれがあると判断された場合に、計時手段１１２にて計時される内部時刻に対応する位置に各指針および日車３０を移動させる制御をする。【選択図】図１
2009186379.tif 000002
【特許請求の範囲】
【請求項１】
第一時刻表示手段を所定の駆動周期で駆動させる第一時刻表示駆動手段と、
前記第一時刻表示手段よりも遅い駆動周期で第二時刻表示手段を駆動させる第二時刻表示駆動手段と、
所定の第一周期毎に、前記第一時刻表示手段の時刻表示位置を検出する第一検出手段と、
前記第一周期より遅い第二周期毎に、前記第二時刻表示手段の時刻表示位置を検出する第二検出手段と、
時刻を計時する計時手段と、
前記第一検出手段を制御するとともに、この第一検出手段にて検出される前記第一時刻表示手段の時刻表示位置が、前記計時手段により計時される時刻に対応する位置であるか否かを判断する第一時刻表示位置判断手段と、
前記第二検出手段を制御するとともに、この第二検出手段にて検出される前記第二時刻表示手段の時刻表示位置が、前記計時手段により計時される時刻に対応する位置であるか否かを判断する第二時刻表示位置判断手段と、
前記第一時刻表示位置判断手段および前記第二時刻表示位置判断手段により、前記第一時刻表示手段および前記第二時刻表示手段が前記計時手段により計時される時刻に対応する位置にないと判断された場合、前記第一時刻表示駆動手段および前記第二時刻表示駆動手段を制御して、前記計時手段にて計時される時刻に対応する時刻表示位置に前記第一時刻表示手段および前記第二時刻表示手段を移動させる時刻修正手段と、
を具備し、
第二時刻表示位置判断手段は、前記第一時刻表示位置判断手段にて、前記第一時刻表示手段が前記計時手段にて計時される時刻に対応する位置にないと判断された場合に、前記第二周期毎の検出時点より早い時点で前記第二検出手段を制御して、前記第二時刻表示手段の時刻表示位置を検出させる
ことを特徴とする電子時計。
【請求項２】
請求項１に記載の電子時計であって、
前記第二時刻表示位置判断手段は、前記第一時刻表示位置判断手段により前記第一時刻表示手段の時刻表示位置が前記計時手段により計時される前記時刻に対応する位置にないと判断した場合、前記第一時刻表示手段による第一時刻表示手段の時刻表示位置の検出の直後に、前記第二検出手段を制御して前記第二時刻表示手段の時刻表示位置検出を実施させる
ことを特徴とする電子時計。
【請求項３】
請求項１に記載の電子時計であって、
前記第一時刻表示手段の時刻表示位置がずれた回数に関する回数情報が記録される記録手段と、
前記第一時刻表示位置判断手段により前記第一時刻表示手段の時刻表示位置が前記計時手段により計時される前記時刻に対応する位置にないと判断した場合に、前記回数情報の回数を増加させる回数データ処理手段と、を備え、
前記第二時刻表示位置判断手段は、前記回数情報に記録される回数が、所定回数に達した場合に、前記第二検出手段を制御して、前記第二時刻表示手段の時刻表示位置の検出を実施させる
ことを特徴とする電子時計。
【請求項４】
第一時刻表示手段を所定の駆動周期で駆動させる第一時刻表示駆動手段と、前記第一時刻表示手段よりも遅い駆動周期で駆動される第二時刻表示手段を駆動させる第二時刻表示駆動手段と、所定の第一周期毎に、前記第一時刻表示手段の時刻表示位置を検出する第一検出手段と、前記第一周期より遅い第二周期毎に、前記第二時刻表示手段の時刻表示位置を検出する第二検出手段と、時刻を計時する計時手段と、前記第一時刻表示手段および前記第二時刻表示手段が前記計時手段により計時される時刻に対応する位置にない場合、前記計時手段にて計時される時刻に対応する時刻表示位置に前記第一時刻表示手段および前記第二時刻表示手段を移動させる時刻修正手段と、を具備した電子時計における時刻表示位置検出方法であって、
前記第一検出手段による第一周期毎の前記第一時刻表示手段の時刻表示位置の検出において、前記第一時刻表示手段が前記計時手段にて計時される時刻に対応する位置にあるか否かを判断し、
前記第一時刻表示手段が前記計時手段にて計時される時刻に対応する位置にない場合に、前記第二周期毎の検出時点より早い時点で前記第二検出手段により前記第二時刻表示手段の時刻表示位置を検出させる
ことを特徴とする時刻表示位置検出方法。
【発明の詳細な説明】
【技術分野】
【０００１】
本発明は、自動で時刻を修正可能な電子時計、および時刻表示位置検出方法に関する。
【背景技術】
【０００２】
従来、秒針や時分針、日車が示す時刻を所定周期毎に定期検出し、これらの秒針、時分針、および日車が示す時刻がずれている場合に、自動的に時刻を修正する電子時計が知られている（例えば、特許文献１参照）。
【０００３】
この特許文献１に記載の電子時計は、標準電波を受信して内部時計の計時時刻を設定する。また、この電子時計は、時針、分針が所定の位置（例えば１２時０分）に到達した時に出力を発生する時分針位置検出手段、秒針が所定の位置（例えば５４秒）に到達した時に出力を発生する秒針位置検出手段を備えている。そして、これらの時分針位置検出手段および秒針位置検出手段の出力に基づき、時刻表示部の時、分、秒に内部時計の時、分、秒の桁に合わせ込む構成が採られている。
【０００４】
【特許文献１】特開２０００−２４９７７７号公報
【発明の開示】
【発明が解決しようとする課題】
【０００５】
しかしながら、上記特許文献１に記載のような従来の電子時計では、秒針に対して６０秒に１回、時分針に対して１２時間に１回の定期指針位置検出時に指針位置を確認して、時刻の合わせ込みを実施している。このため、時分針に対して指針位置がずれている場合では最長で１２時間、電子時計の時刻表示部に誤った時刻が表示されるおそれがあるという問題がある。特に、日車が設けられてカレンダを表示する電子時計の場合では、日車に対しては１ヶ月に１回の位置検出しか実施されないため、最長で１ヶ月の間、誤った日付が表示されるおそれがあるという問題がある。
【０００６】
本発明は、上記のような問題に鑑みて、正確な時刻を表示可能な電子時計、および時刻表示位置検出方法を提供することを目的とする。
【課題を解決するための手段】
【０００７】
本発明の電子時計は、第一時刻表示手段を所定の駆動周期で駆動させる第一時刻表示駆動手段と、前記第一時刻表示手段よりも遅い駆動周期で第二時刻表示手段を駆動させる第二時刻表示駆動手段と、所定の第一周期毎に、前記第一時刻表示手段の時刻表示位置を検出する第一検出手段と、前記第一周期より遅い第二周期毎に、前記第二時刻表示手段の時刻表示位置を検出する第二検出手段と、時刻を計時する計時手段と、前記第一検出手段を制御するとともに、この第一検出手段にて検出される前記第一時刻表示手段の時刻表示位置が、前記計時手段により計時される時刻に対応する位置であるか否かを判断する第一時刻表示位置判断手段と、前記第二検出手段を制御するとともに、この第二検出手段にて検出される前記第二時刻表示手段の時刻表示位置が、前記計時手段により計時される時刻に対応する位置であるか否かを判断する第二時刻表示位置判断手段と、前記第一時刻表示位置判断手段および前記第二時刻表示位置判断手段により、前記第一時刻表示手段および前記第二時刻表示手段が前記計時手段により計時される時刻に対応する位置にないと判断された場合、前記第一時刻表示駆動手段および前記第二時刻表示駆動手段を制御して、前記計時手段にて計時される時刻に対応する時刻表示位置に前記第一時刻表示手段および前記第二時刻表示手段を移動させる時刻修正手段と、を具備し、第二時刻表示位置判断手段は、前記第一時刻表示位置判断手段にて、前記第一時刻表示手段が前記計時手段にて計時される時刻に対応する位置にないと判断された場合に、前記第二周期毎の検出時点より早い時点で前記第二検出手段を制御して、前記第二時刻表示手段の時刻表示位置を検出させることを特徴とする。
【０００８】
ここで、計時手段により計時される時刻は、例えば標準電波を受信することで設定される正確な現在時刻であり、第一時刻表示手段および第二時刻表示手段は、現在時刻を表示するための秒針、時分針、日車などである。なお、本発明において、時刻とは、時、分、秒、日付（暦）を含むものとする。
この発明によれば、電子時計は、第一検出手段による第一時刻表示手段の時刻表示位置の定期検出、および第二検出手段による第二時刻表示手段の時刻表示位置の定期検出により、第一時刻表示手段や第二時刻表示手段が計時手段により計時される時刻よりもずれている場合、時刻修正手段により、正確な時刻に修正することができる。
これに加え、第二時刻表示位置判断手段は、第一時刻表示手段の時刻表示位置がずれている場合、第二時刻表示手段の時刻表示位置の定期検出よりも早い時点で、第二検出手段を制御して第二時刻表示手段の時刻表示位置の検出を実施させる。そして、計時手段にて計時される時刻と比較してずれている場合は、時刻修正手段により第二時刻表示手段の表示時刻を修正させる。このため、第二時刻表示手段の時刻表示位置がずれている場合でも、第二検出手段による定期検出が実施される前に、時刻修正を実施することができる。したがって、第二時刻表示手段により表示される時刻が長時間ずれていることがなく、正確な時刻を長期間表示することが可能となる。
【０００９】
また、本発明の電子時計では、前記第二時刻表示位置判断手段は、前記第一時刻表示位置判断手段により前記第一時刻表示手段の時刻表示位置が前記計時手段により計時される前記時刻に対応する位置にないと判断した場合、前記第一時刻表示手段による第一時刻表示手段の時刻表示位置の検出の直後に、前記第二検出手段を制御して前記第二時刻表示手段の時刻表示位置の検出を実施させることが好ましい。
この発明によれば、第一時刻表示手段の時刻表示位置にずれがある場合、即座に第二時刻表示手段の時刻表示位置の検出が実施される。したがって、第二時刻表示手段が示す時刻表示位置がずれている場合でも、第一時刻表示手段の時刻表示位置の定期検出が実施される第一周期で第二時刻表示手段の時刻修正を実施することができる。よって、第二時刻表示手段がずれている場合でも、その時刻ずれがある期間を短縮することができ、電子時計の時刻表示における信頼性をより向上させることができる。
【００１０】
さらに、本発明の電子時計では、前記第一時刻表示手段の時刻表示位置がずれた回数に関する回数情報が記録される記録手段と、前記第一時刻表示位置判断手段により前記第一時刻表示手段の時刻表示位置が前記計時手段により計時される前記時刻に対応する位置にないと判断した場合に、前記回数情報の回数を増加させる回数データ処理手段と、を備え、前記第二時刻表示位置判断手段は、前記回数情報に記録される回数が、所定回数に達した場合に、前記第二検出手段を制御して、前記第二時刻表示手段の時刻表示位置検出を実施させる構成としてもよい。
この発明によれば、第一時刻表示手段の時刻表示位置のずれが所定回数検出されると、第二時刻表示手段の時刻表示位置の位置検出を実施し、ずれている場合に時刻修正を実施する。例えば、第一時刻表示手段を秒針、第二時刻表示手段を時分針とした場合、秒針の駆動周期に対し時分針の駆動周期は十分に小さいため、秒針が１回転（６０秒）する間に、時分針が大きくずれることはない。したがって、秒針がずれた回数を計時し、この回数が所定の規定値を超えた場合に第二時刻表示手段である時分針や日車の時刻表示位置を検出することで、第二検出手段による位置検出の無駄を省くことができる。これにより、例えば腕時計など、限られた電力しか使用できない電子時計においても、省電力化を図ることができるとともに、上記発明と同様に、より正確な現在時刻を表示することができる。
【００１１】
そして、本発明の時刻表示位置検出方法は、第一時刻表示手段を所定の駆動周期で駆動させる第一時刻表示駆動手段と、前記第一時刻表示手段よりも遅い駆動周期で駆動される第二時刻表示手段を駆動させる第二時刻表示駆動手段と、所定の第一周期毎に、前記第一時刻表示手段の時刻表示位置を検出する第一検出手段と、前記第一周期より遅い第二周期毎に、前記第二時刻表示手段の時刻表示位置を検出する第二検出手段と、時刻を計時する計時手段と、前記第一時刻表示手段および前記第二時刻表示手段が前記計時手段により計時される時刻に対応する位置にない場合、前記計時手段にて計時される時刻に対応する時刻表示位置に前記第一時刻表示手段および前記第二時刻表示手段を移動させる時刻修正手段と、を具備した電子時計における時刻表示位置検出方法であって、前記第一検出手段による第一周期毎の前記第一時刻表示手段の時刻表示位置の検出において、前記第一時刻表示手段が前記計時手段にて計時される時刻に対応する位置にあるか否かを判断し、前記第一時刻表示手段が前記計時手段にて計時される時刻に対応する位置にない場合に、前記第二周期毎の検出時点より早い時点で前記第二検出手段により前記第二時刻表示手段の時刻表示位置を検出させることを特徴とする。
この発明によれば、上記発明と同様に、第一時刻表示手段の時刻表示位置の定期検出でずれがあると判断された場合、第二時刻表示手段の定期検出よりも早い時点で位置検出を実施する。これにより、第二時刻表示手段の時刻表示位置がずれている場合、第二検出手段による定期検出が実施される前に、第二時刻表示手段の位置を検出することができるので、時刻修正もより早く実施することができる。したがって、第二時刻表示手段により表示される時刻にずれがある場合には、より早い時点で時刻修正を実施することができ、長時間誤った時刻を表示する不都合がなく、正確な時刻表示を実施することができる。
【発明を実施するための最良の形態】
【００１２】
〔第一の実施の形態〕
以下、本発明の第一の実施の形態に係る電子時計１を図面に基づいて説明する。
【００１３】
〔電子時計の構成〕
図１は、第一の実施の形態に係る電子時計の構成を示すブロック図である。図２は、電子時計を裏蓋側から見た平面図である。また、図３は、電子時計の側断面図である。
図１において、１は、電子時計であり、この電子時計１は、時刻情報が重畳された標準電波を受信して時刻修正を行う１２時間表示式の電波修正時計であり、指針位置検出機能を装備する。そして、この電子時計１は、図１ないし図３に示すように、マイクロコンピュータ部１００（以降マイコン部１００と称す）（図１参照）と、指針駆動部２０と、電池４０を収納する電源収納部４１（図２参照）と、標準電波を受信するアンテナ５０（図２参照）と、外部から利用者が操作可能な外部操作部材５（図２参照）と、例えば平面形状略円形に形成される地板１０と、を備える。なお、図２は、電子時計１の時刻表示側とは反対側（裏蓋側）から見た図であり、この図において、上方向が電子時計１の３時方向、下方向が９時方向、右方向が１２時方向、左方向が６時方向となっている。
【００１４】
マイコン部１００は、図２および図３において図示は省略するが、電子時計１を構成する電子回路に組み込まれている。このマイコン部１００の詳細な構成の説明については後述する。
【００１５】
［指針駆動部の構成］
図４は、図２の部分拡大図であり、指針駆動部の構成を示す平面図である。
指針駆動部２０は、図１ないし図４に示すように、第一時刻表示手段としての秒針２Ａ、第二時刻表示手段としての時針２Ｃと、第二時刻表示手段としての分針２Ｂと、秒針２Ａを駆動する第一時刻表示駆動手段を構成する秒針駆動機構２０１と、時分針２Ｂ，２Ｃを駆動する第二時刻表示駆動手段を構成する時分針駆動機構２０２と、第二時刻表示手段としての日車３０と、日車３０を駆動する第二時刻表示駆動手段を構成する日車駆動機構２０３と、第一検出手段としての秒針位置検出手段２０４と、第二検出手段としての時分針位置検出手段２０５と、第二検出手段としての日車位置検出手段２０６と、を備えている。
【００１６】
各指針２（秒針２Ａ，時針２Ｃ、分針２Ｂ）は、地板１０の略中央を中心に同軸上にそれぞれ回動可能に設けられている。
【００１７】
秒針駆動機構２０１は、秒針２Ａを駆動するための秒針モータ２１と、秒針モータ２１からの駆動力を秒針２Ａに伝達する秒針用減速輪列２２が設けられている。
秒針モータ２１は、ステッピングモータで構成されて電子時計１の略９時方向に配設されている。この秒針モータ２１は、ロータ磁石２１１Ｂを有するロータ２１１と、ロータ２１１を回転可能に保持するステータ２１２と、ステータ２１２に接するコイル２１３とを備えている。
秒針用減速輪列２２は、ロータ２１１に一体的に形成されたロータかな２１１Ａに噛合する秒中間車２２１と、秒中間車２２１に噛合する四番車２２２とを備えている。四番車２２２には、秒針２Ａが固定されている。
【００１８】
このような秒針駆動機構２０１では、コイル２１３にパルス信号を流すと、電磁誘導によりステータ２１２に磁路が形成され、ロータ２１１が１パルスで半回転する。この回転運動は、ロータかな２１１Ａ、秒中間車２２１、および四番車２２２の順に適切な減速比（増速比）で減速されながら伝達され、秒針２Ａが６０秒で１周、すなわち３６０°回転する駆動速度で回動する。
【００１９】
また、秒中間車２２１には、秒針２Ａの１２時位置を検出するための第一検出手段である秒針位置検出手段２０４を構成する秒検出車２２３が噛合されている。秒中間車２２１および秒検出車２２３には、互いに重なりあう領域に、それぞれ秒検出孔２２１Ａ，２２３Ａが形成されており、秒中間車２２１および秒検出車２２３の位相は、秒針２Ａが１２時の位置に配置されたときにこれらの秒検出孔２２１Ａ，２２３Ａの位置が一致するように設定されている。つまり、１２時位置（正分、０秒）が秒針２Ａの基準位置である。ここで、秒検出車２２３は、四番車２２２と同じ径寸法に形成されているため、秒検出孔２２１Ａ，２２３Ａは６０秒に一度、秒針２Ａが０秒位置に運針された際に位置が一致するようになっている。
【００２０】
秒検出孔２２１Ａ，２２３Ａが一致する位置には、秒針位置検出手段２０４を構成する図示しないフォトセンサが設けられている。このフォトセンサは、秒中間車２２１および秒検出車２２３を厚み方向に挟んで互いに対向する発光素子および受光素子を備えている。そして、このフォトセンサでは、秒中間車２２１および秒検出車２２３が回転して秒検出孔２２１Ａ，２２３Ａが一致すると、発光素子からの光が秒検出孔２２１Ａ，２２３Ａを貫通して受光素子で受光され、秒針２Ａの位置が１２時であることが検出される。また、受光素子で発光素子からの光が検出されると、フォトセンサは、マイコン部１００に秒針２Ａが基準位置に移動された旨の秒針検出信号を出力する。
【００２１】
時分針駆動機構２０２は、時分針２Ｂ，２Ｃを駆動するための時分針モータ２６と、時分針モータ２６からの駆動力を時分針２Ｂ，２Ｃに伝達する時分針用減速輪列２７が設けられている。
時分針モータ２６は、秒針モータ２１と同様にステッピングモータで構成されて電子時計１の略３時方向に配設され、ロータ磁石２６１Ｂを有するロータ２６１と、ロータ２６１を回転可能に保持するステータ２６２と、ステータ２６２に接するコイル２６３とを備えている。
【００２２】
時分針用減速輪列２７は、ロータ２６１に一体的に形成されたロータかな２６１Ａに噛合する五番車２７１と、五番車２７１に噛合する三番車２７２と、三番車２７２に噛合する二番車２７３と、二番車２７３に噛合する日の裏車２７４と、日の裏車２７４に噛合する筒車２７５とを備える。
二番車２７３および筒車２７５は、四番車２２２と同軸上に配置され、二番車２７３には分針２Ｂが、筒車２７５には時針２Ｃが固定されている。コイル２６３に５秒周期でパルス信号を流すと、電磁誘導によりステータ２６２に磁路が形成され、ロータ２６１が１パルスで半回転する。この回転運動は、ロータかな２６１Ａ、五番車２７１、三番車２７２、二番車２７３の順に適切な減速比（増速比）で減速されながら伝達され、二番車２７３および分針２Ｂが１時間で一周する速度で回動する。
【００２３】
また、二番車２７３の回転運動は、日の裏車２７４、筒車２７５の順に適切な減速比（増速比）で減速されながら伝達されて、筒車２７５および時針２Ｃが１２時間で１周する速度で回動する。
【００２４】
五番車２７１、三番車２７２、二番車２７３、四番車２２２、および筒車２７５には、互いに重なり合う領域にそれぞれ第二位置検出手段である時分針位置検出手段２０５を構成する時分検出孔２７１Ａ，２７２Ａ，２７３Ａ，２２２Ａ，２７５Ａが形成されている。時針２Ｃ、分針２Ｂ、および秒針２Ａが１２時の位置に配置された時に、これらの時分検出孔２７１Ａ，２７２Ａ，２７３Ａ，２２２Ａ，２７５Ａの位置が一致するように設定されている。つまり、時針２Ｃおよび分針２Ｂの基準位置は１２時位置（１２時０分、０時０分）である。
【００２５】
図５は、五番車２７１、三番車２７２、二番車２７３、四番車２２２、および筒車２７５の側断面図である。時分検出孔２７１Ａ，２７２Ａ，２７３Ａ，２２２Ａ，２７５Ａが一致する位置には、秒針位置検出手段２０４に設けられた透過型のフォトセンサと同様のフォトセンサが設けられている。また、地板１０には、時分検出孔２７１Ａ，２７２Ａ，２７３Ａ，２２２Ａ，２７５Ａが一致する位置に対向して透光孔１０Ａが設けられている。
時分検出孔２７１Ａ，２７２Ａ，２７３Ａ，２２２Ａ，２７５Ａの位置が一致すると、発光素子６から射出された光を受光素子７が受光して検知し、これにより時針２Ｃ、分針２Ｂ、および秒針２Ａが全て１２時位置、つまり、基準位置にあることが検出される。また、フォトセンサは、受光素子７にて発光素子６からの光が受光されると、時分針２Ｂ，２Ｃが基準位置に移動した旨の時分針検出信号をマイコン部１００に出力する。
【００２６】
なお、前述のフォトセンサにおいて、発光素子６と受光素子７との位置関係は反対であってもよい。また、透過型フォトセンサではなく、反射型フォトセンサであってもよい。
【００２７】
図２に戻り、日車駆動機構２０３は、日車３０を駆動するための日車モータ３１と、日車モータ３１からの駆動力を日車３０に伝達する日車輪列３３が設けられている。
日車３０は、地板１０において秒針駆動機構２０１や時分針駆動機構２０２が設けられた側とは反対側の面に対向して設けられている。この日車３０の上方には、文字板３が設けられており、この文字板３の外周部の一部には、日付を表示するための窓部３Ａ（図１参照）が設けられ、この窓部３Ａから日車３０の一部が日付として視認可能となっている。
なお、文字板３は、ガラスなどの光透過性を有する材料で構成されており、文字板３と地板１０との間には、入射した光によって発電する発電手段としてのソーラパネル４が配置されている。
日車３０は、ソーラパネル４と地板１０との間に配置され、日車３０の文字板３側の面には、日付を表す「１」から「３１」の文字が印刷などによって表示されている。日車３０の内周面には内歯車が形成されている。
【００２８】
図２に示されるように、日車モータ３１は、ロータ３１１、ステータ３１２、およびコイル３１３で構成されるステッピングモータであり、電子時計１の略５時方向に配設されている。
【００２９】
日車輪列３３は、ロータ３１１に一体的に形成されるロータかな３１１Ａに噛合する日回し第一中間車３３１と、日回し第一中間車３３１に噛合する日回し第二中間車３３２と、日回し第二中間車３３２に噛合する日回し車３３３とを備える。日回し車３３３は、地板１０を貫通して文字板３側に配設される図示しない歯車を有し、この歯車が日車３０の内歯車に噛合される。
コイル３１３にパルス信号を流すと、電磁誘導によりステータ３１２に磁路が形成され、ロータ３１１が回転する。この回転は、ロータかな３１１Ａ、日回し第一中間車３３１、日回し第二中間車３３２、日回し車３３３の順に伝達され、日回し車３３３の回転によって日車３０が回転し、表示される日付が変更される。
【００３０】
また、日回し車３３３は、３１日で１周の駆動速度で回動され、１回転で日車３０を１周させる。この日回し車３３３には、日車３０の位置を検出するための第二検出手段を構成する日検出孔３３３Ａが形成されている。また、日回し車には、第二検出手段としての日車位置検出手段を構成するフォトセンサが設けられており、このフォトセンサは、日回し車を挟んで設けられる図示しない発光素子と受光素子とを備えている。これらの発光素子および受光素子は、日車３０の暦の「１日」を示す「１」が文字板３の窓部３Ａから表示される状態で、日回し車３３３の日検出孔３３３Ａに対向するように設置されている。これにより、日回し車３３３が回動し、日車３０の「１」が窓部３Ａから表示されると、発光素子から発光される光が受光素子にて受光される。また、このフォトセンサは、受光素子で光が受光されると、マイコン部に日車３０により「１日」が表示された旨の日車検出信号を出力する。
【００３１】
［電源部の構成］
電源収納部４１には、電池４０が収納されている。電池４０は、二次電池であり、ソーラパネル４で発生した起電力は、この電池４０に充電される。
【００３２】
［アンテナの構成］
アンテナ５０は、アンテナコア５１と、コア収納部５２の一部に巻き回されるコイル５３とを備える。
アンテナコア５１は、例えばアモルファスの薄板を複数枚積層して構成され、略中央に形成される略矩形状の直線部５１１と、直線部５１１の両端側に地板１０の外縁に沿って略円弧状に湾曲して形成される湾曲部５１２とを備える。
コイル５３は、アンテナコア５１の直線部５１１に巻装されている。
【００３３】
また、アンテナコア５１の一方の湾曲部５１２には、コイル５３の端部が接続された回路基板５４が固定されている。
回路基板５４は、絶縁材料で構成されるフレキシブル基板で構成され、この回路基板５４上には、アンテナ５０の同調周波数調整用のコンデンサ５４１が複数個実装されている。そして、この回路基板５４は、アンテナ５０で受信された標準電波に基づいた信号をマイコン部１００に出力する。
【００３４】
［外部操作部材の構成］
外部操作部材５は、電子時計１の略３時方向に配設されるリューズを有して構成されている。リューズは、巻真５Ｄ（図２参照）に設けられており、この巻真５Ｄは、リューズによって軸方向に引き出し可能に設けられている。そして、巻真５Ｄが引き出された状態でリューズが回動操作されることで、例えば手動で時刻を修正するなどの各種修正や電子時計１の設定入力が可能となる。
【００３５】
［マイコン部の構成］
次に、電子時計１の動作を制御するマイコン部１００の構成を説明する。
マイコン部１００は、図１に示すように、発振回路１０１と、分周回路１０２と、制御回路部１１０と、を備えている。
【００３６】
発振回路１０１は、水晶振動子やセラミック振動子等の基準発振源を高周波発振させ、基準発振信号を生成する。
分周回路１０２は、発振回路１０１で生成された基準発振信号を分周して所定の基準信号（例えば、１Ｈｚの信号）を生成する。
【００３７】
制御回路部１１０は、電子時計１の全体動作を制御する。そして、この制御回路部１１０は、受信手段１１１と、計時手段１１２と、第一時刻表示位置判断手段としても機能する秒針位置検出制御手段１１３と、第二時刻表示位置判断手段としても機能する時分針位置検出制御手段１１４と、第二時刻表示位置判断手段としても機能する日車位置検出制御手段１１５と、時刻修正手段１１６と、第一時刻表示駆動手段を構成する秒針駆動制御手段１１７と、第二時刻表示駆動手段を構成する時分針駆動制御手段１１８と、第二時刻表示駆動手段を構成する日車駆動制御手段１１９と、を備え、これらの構成は、ＩＣ（Integrated Circuit）や各種素子として実装されている。なお、前述した秒針駆動機構２０１および秒針駆動制御手段１１７により本発明の第一時刻表示駆動手段が構成される。また、前述した時分針駆動機構２０２および時分針駆動制御手段１１８、または日車駆動機構２０３および日車駆動制御手段１１９により第二時刻表示駆動手段が構成される。
【００３８】
受信手段１１１は、アンテナ５０で受信された長波標準電波からタイムコードを抽出し、この抽出したタイムコードを計時手段１１２に出力する。これにより、計時手段１１２でカウントされるカウント値（秒計数、時分計数、日付計数）が更新され、受信した時刻情報に応じた内部時刻に修正される。
【００３９】
計時手段１１２は、タイムコードを記憶するプリセットカウンタ等で構成されており、分周回路１０２から出力される基準クロックを計数する。この計時手段１１２にて計数されるカウント値により電子時計１の内部時刻が示される。また、計時手段１１２は、上記したように、受信手段１１１からタイムコードが入力されると、プリセットカウンタに記録されるタイムコードを更新し、内部時刻を修正する。
【００４０】
秒針位置検出制御手段１１３は、計時手段１１２にて計数される内部時刻が秒基準時刻（０秒）になる毎（第一周期である６０秒毎）に、秒針位置検出手段２０４を制御して秒針２Ａの指針位置を検出させる（定期秒針位置検出）。具体的には、秒針位置検出制御手段１１３は、内部時刻が秒基準時刻になった際に、秒針位置検出手段２０４のフォトセンサの発光素子から光を発光させる。
ここで、秒針位置検出制御手段１１３は、秒針位置検出手段２０４のフォトセンサの受光素子から秒針検出信号が入力されると、秒針２Ａが基準位置に運針されたと判断する。一方、秒針位置検出制御手段１１３は、秒針検出信号の入力がない場合、秒針２Ａが基準位置にない、つまり秒針２Ａの指針位置が計時手段１１２によりカウントされる内部時刻と比べてずれていると判断する。
【００４１】
そして、秒針位置検出手段２０４は、秒針検出信号が入力されず、秒針２Ａが基準位置からずれた位置にあると判断した場合、秒針２Ａの指針位置を修正する旨の秒修正命令信号を時刻修正手段１１６に出力する。
また、秒針位置検出手段２０４は、秒針２Ａの運針位置に関するフラグ情報が記録された図示しない記憶回路を備えている。このフラグ情報は、秒針２Ａが計時手段１１２において、内部時刻で０秒がカウントされた際に秒針２Ａが基準位置にある場合、例えば「０」が記録され、秒針２Ａが基準位置にない場合、例えば「１」が記録される。そして、秒針位置検出手段２０４は、秒針２Ａが基準位置からずれた位置にあると判断した場合、この記憶回路のフラグ情報を秒針２Ａがずれている旨の情報である「１」に書き換える。
【００４２】
時分針位置検出制御手段１１４は、計時手段１１２にて計数される内部時刻が時分基準時刻（１２時００分００秒、０時００分００秒）になる毎（第二周期である１２時間毎）に、時分針位置検出手段２０５を制御して時分針２Ｂ，２Ｃの指針位置を検出させる（定期時分針位置検出）。具体的には、時分針位置検出制御手段１１４は、内部時刻が時分基準時刻になった際に、時分針位置検出手段２０５のフォトセンサの発光素子６から光を発光させる。
ここで、時分針位置検出制御手段１１４は、時分針位置検出手段２０５のフォトセンサの受光素子７から時分針検出信号が入力されると、時分針２Ｂ，２Ｃが基準位置に運針されたと判断する。
一方、時分針位置検出制御手段１１４は、時分針検出信号の入力がない場合、時分針２Ｂ，２Ｃが基準位置にない、つまり時針２Ｃまたは分針２Ｂの指針位置が計時手段１１２によりカウントされる内部時刻と比べてずれていると判断する。この場合、時分針位置検出手段２０５は、時分針２Ｂ，２Ｃの指針位置を修正する旨の時分修正命令信号を時刻修正手段１１６に出力する。
【００４３】
また、時分針位置検出制御手段１１４は、秒針位置検出制御手段１１３の記憶回路に記憶されるフラグ情報を常時参照し、このフラグ情報が、秒針２Ａがずれている旨の情報である「１」に書き換えられたことを認識すると、時分針２Ｂ，２Ｃの位置検出を実施する。具体的には、時分針位置検出制御手段１１４は、時分針駆動制御手段１１８および秒針駆動制御手段１１７に、計時手段１１２により計時される内部時刻に対応する時間だけ各指針２を早送りまたは巻戻しさせ、各指針２を基準位置に戻す旨の基準位置移動信号を出力する。これにより、秒針２Ａ、時針２Ｃ、および分針２Ｂは、基準位置である１２時００分００秒（０時００分００秒）の位置に高速移動される。そして、時分針位置検出制御手段１１４は、時分針位置検出手段２０５を制御して、時分針２Ｂ，２Ｃの指針位置を検出させる。
ここで、時分針位置検出制御手段１１４は、受光素子７から時分針検出信号が入力された場合、時分針２Ｂ，２Ｃが基準位置に運針されていると判断し、計時手段１１２により計時される内部時刻に対応した位置に、各指針２を戻す旨の時刻戻し信号を出力する。
一方、時分針位置検出制御手段１１４は、時分針検出信号の入力がない場合、時分針２Ｂ，２Ｃが基準位置にないと判断し、時分針２Ｂ，２Ｃの指針位置を修正する旨の時分修正命令信号を時刻修正手段１１６に出力する。
【００４４】
日車位置検出制御手段１１５は、時分位置検出制御手段と略同様の処理を実施する。すなわち、日車位置検出制御手段１１５は、計時手段１１２にて計数される内部時刻が日付基準時刻（１日）になる毎（第二周期である１ヶ月周期毎）に、日車位置検出手段２０６を制御して日車３０により表示される日付を検出させる（定期日車位置検出）。具体的には、日車位置検出制御手段１１５は、内部時刻が日付基準時刻になった際に、日車位置検出手段２０６のフォトセンサの発光素子から光を発光させる。
ここで、日車位置検出制御手段１１５は、日車位置検出手段２０６のフォトセンサの受光素子から日車検出信号が入力されると、日車３０が基準位置に回動されていると判断する。
一方、日車位置検出制御手段１１５は、日車検出信号の入力がない場合、日車３０が基準位置にないと判断する。この場合、日車位置検出手段２０６は、日車３０により表示される日付を修正する旨の日付修正命令信号を時刻修正手段１１６に出力する。
【００４５】
また、日車位置検出制御手段１１５は、秒針位置検出制御手段１１３の記憶回路に記憶されるフラグ情報を常時参照し、このフラグ情報が、秒針２Ａがずれている旨の情報である「１」に書き換えられたことを認識すると、日車３０の位置検出を実施する。具体的には、日車位置検出制御手段１１５は、日車駆動制御手段１１９に、計時手段１１２により計時される内部時刻に対応する日付だけ日車３０を早送りまたは巻戻しさせて、１日を示す「１」が文字板３の窓部３Ａから表示されるように日車３０を移動させる旨の日車基準位置移動信号を出力する。これにより、日車３０は、文字板３の窓部３Ａから「１」が表示される状態に高速回動される。そして、日車位置検出制御手段１１５は、日車位置検出手段２０６を制御して、日車３０の位置を検出させる。
ここで、日車位置検出制御手段１１５は、受光素子から日車検出信号が入力された場合、日車３０が基準位置に運針されていると判断し、計時手段１１２により計時される内部時刻に対応した日付位置に、日車３０を戻す旨の日付戻し信号を出力する。
一方、日車位置検出制御手段１１５は、日車検出信号の入力がない場合、日車３０がずれていると判断し、日車３０の位置を修正する旨の日付修正命令信号を時刻修正手段１１６に出力する。
【００４６】
時刻修正手段１１６は、秒針位置検出制御手段１１３、時分針位置検出手段２０５、および日車位置検出制御手段１１５から入力される、秒修正命令信号、時分修正命令信号、日付修正命令信号、時刻戻し信号、および日付戻し信号に基づいて、秒針駆動制御手段１１７、時分針駆動制御手段１１８、および日車駆動制御手段１１９に、各指針２および日車３０を計時手段１１２にて計時される内部時刻に対応した位置まで駆動させる旨の修正駆動信号を出力する。
【００４７】
具体的には、時刻修正手段１１６は、秒修正命令信号が入力されると、秒針位置検出手段２０４のフォトセンサの発光素子から光を発光させるとともに、秒針駆動制御手段１１７に秒針２Ａを時計回り方向または反時計回り方向に回動させる旨の信号を出力する。そして、秒針位置検出手段２０４から秒針検出信号が出力されると、秒針駆動制御手段１１７に秒針２Ａの回動を停止させる旨の停止命令信号を出力させる。この後、時刻修正手段１１６は、計時手段１１２により計時される内部時刻の秒数まで秒針２Ａを駆動させる旨の修正駆動信号を秒針駆動制御手段１１７に出力する。
また、時刻修正手段１１６は、時分針２Ｂ，２Ｃおよび日車３０に関しても同様の処理にて、時分針駆動制御手段１１８および日車駆動制御手段１１９に修正駆動信号を出力する。すなわち、時刻修正手段１１６は、時分修正命令信号が入力されると、時分針位置検出手段２０５、秒針駆動制御手段１１７、および時分針駆動制御手段１１８を制御して、秒針２Ａ、時針２Ｃ、および分針２Ｂを基準位置まで移動させる。この後、時刻修正手段１１６は、計時手段１１２により計時される内部時刻の時刻まで秒針２Ａ、時針２Ｃ、および分針２Ｂを駆動させる旨の修正駆動信号を秒針駆動制御手段１１７に出力する。同様に、時刻修正手段１１６は、日付修正命令信号が入力されると、日車位置検出手段２０６を制御して、日車３０を日車基準位置まで移動させる。この後、時刻修正手段１１６は、計時手段１１２により計時される内部時刻の日付まで日車３０を駆動させる旨の修正駆動信号を日車駆動制御手段１１９に出力する。
【００４８】
秒針駆動制御手段１１７、時分針駆動制御手段１１８、および日車駆動制御手段１１９は、分周回路１０２から出力される基準クロックに基づいて、各指針２および日車３０を駆動させるパルス信号を発生させる。また、これらの秒針駆動制御手段１１７、時分針駆動制御手段１１８、および日車駆動制御手段１１９は、それぞれ秒針駆動機構２０１、時分針駆動機構２０２、日車駆動機構２０３に設けられる秒針モータ２１、時分針モータ２６、日車モータ３１に接続され、発生させたパルス信号に基づいた駆動力を発生させる。
【００４９】
また、秒針駆動制御手段１１７、時分針駆動制御手段１１８、および日車駆動制御手段１１９は、時刻修正手段１１６から入力される修正駆動信号に基づいて、各モータ２１，２６，３１に所定のパルス信号を出力し、秒針２Ａ、時針２Ｃ、分針２Ｂ、および日車３０を計時手段にて計時される内部時刻に対応する位置まで移動させる。
【００５０】
〔電子時計の動作〕
次に、上述したような第一の実施の形態の電子時計１の動作の説明を図面に基づいて説明する。
図６は、第一の実施の形態の電子時計の自動時刻修正動作におけるフローチャートである。図７は、計時手段１１２で計時されている内部時刻（１５日０１時１５分００秒）において、秒針、時分針、日付がずれている状態（１６日０１時１４分０１秒）を示す図である。図８は、図７に示される状態から秒針を補正した状態を示す図である。図９は、図８に示される状態から時分針を時分基準位置に移動させた状態を示す図である。図１０は、図９に示される状態から時分針の位置を補正した状態を示す図である。図１１は、図１０に示される状態から日車を日車基準位置に移動させた状態を示す図である。図１２は、図１１に示される状態から日車の位置を補正した状態を示す図である。
【００５１】
第一の実施の形態における電子時計１における自動時刻修正動作では、電子時計１は、先ず、計時手段１１２にてカウントされる内部時刻が秒基準時刻、すなわち正分０秒となるタイミングを認識する（ステップＳ１０１）。
そして、計時手段１１２において内部時刻００秒がカウントされると、秒針位置検出制御手段１１３は、秒針位置検出手段２０４を制御して秒針２Ａの位置検出を実施する（ステップＳ１０２）。具体的には、秒針位置検出制御手段１１３は、秒針位置検出手段２０４のフォトセンサの発光素子から光を発光させる。
そして、秒針位置検出制御手段１１３は、受光素子から秒検出信号の入力の有無により、秒針２Ａにずれがあるか否かを判断する（ステップＳ１０３）。すなわち、秒針位置検出制御手段１１３は、秒検出信号の入力がある場合、秒針２Ａにずれがなく、正常に動作していると判断する。
【００５２】
一方、秒検出信号の入力がない場合、秒針位置検出制御手段１１３は、秒針２Ａにずれがあると判断し、時刻修正手段１１６に秒修正命令信号を出力する。具体例を挙げて説明すると、計時手段１１２により、例えば１５日０１時１５分００秒がカウントされ、この時の各指針２および日車３０が図７（１６日０１時１４分０１秒）に示すようにずれていたとする。この場合、秒針位置検出制御手段１１３は、秒針２Ａが秒基準位置にないため、秒検出信号が入力されず、秒針２Ａがずれていると判断し、時刻修正手段１１６に秒修正命令信号を出力する。
時刻修正手段１１６は、秒針位置検出制御手段１１３から秒修正命令信号が入力されると、秒針位置検出手段２０４および秒針駆動制御手段１１７を制御して、計時手段１１２にてカウントされる内部時刻の秒計数まで秒針２Ａを移動させ、ずれを補正する（ステップＳ１０４）。
【００５３】
例えば、図７に示す例では、時刻修正手段１１６は、秒針位置検出手段２０４から秒検出信号が出力されるまで、秒針２Ａを高速で巻戻しさせ、図８に示すように、秒針２Ａを基準位置に移動させる。
また、時分針位置検出手段２０５が秒針２Ａの位置に影響されない構成の場合は、時刻修正手段１１６は、秒針２Ａが基準位置に移動された後、再び計時手段１１２によりカウントされる内部時刻を参照し、秒針２Ａを適切な位置まで移動させる構成としてもよい。すなわち、秒針２Ａを基準位置に移動させる間にも計時手段１１２は、基準クロックに基づいて内部時刻のカウントを続けているため、秒針２Ａを基準位置に戻した際に内部時刻の方が進んでいる可能性がある。これに対して、上記のように、再度内部時刻を参照して秒針２Ａを移動させることで、秒針２Ａのずれを確実に補正することができる。
【００５４】
また、ステップＳ１０４の後、秒針位置検出制御手段１１３は、記憶回路に記憶されているフラグ情報に、秒針２Ａにずれがあった旨の「１」を記録する（ステップＳ１０５）。
【００５５】
ステップＳ１０３において秒針２Ａにずれがないと判断された後、およびステップＳ１０４ないしステップＳ１０５の秒針２Ａのずれ補正の後、電子時計１の時分針位置検出制御手段１１４は、計時手段１１２にて計時される内部時刻を参照し、内部時刻が時分基準時刻である１２時００分００秒または０時００分００秒になったか否かを判断する（ステップＳ１０６）。
また、ステップＳ１０６において、時分針位置検出制御手段１１４は、時分基準時刻でないと判断した場合、記憶回路に記録されているフラグ情報を参照し、フラグ情報が秒針２Ａにずれがあった旨の「１」が記録されているかを判断する（ステップＳ１０７）。
そして、時分針位置検出制御手段１１４は、ステップＳ１０６において、内部時刻が時分基準時刻であると判断した場合、およびステップＳ１０７において、フラグ情報に「１」が記録されていると判断した場合、時分針位置検出手段２０５を制御して時分針２Ｂ，２Ｃの位置検出を実施させる（ステップＳ１０８）。
【００５６】
具体的には、ステップＳ１０６にて内部時刻が０時または１２時であると判断された場合、時分針位置検出制御手段１１４は、時分針位置検出手段２０５のフォトセンサの発光素子６から光を発光させ、受光素子７から時分検出信号の入力があるか否かを検出する。
また、ステップＳ１０７において、フラグ情報が「１」であると判断された場合、時分針位置検出制御手段１１４は、時分針駆動制御手段１１８に時分針２Ｂ，２Ｃを内部時刻に対応する駆動量だけ早送りまたは巻戻しさせて基準位置の戻す制御をし、受光素子７から時分検出信号の入力があるか否かを判断する。そして、時分針位置検出制御手段１１４は、受光素子７から時分検出信号の入力がある場合、ずれがないと判断し、時分検出信号の入力がない場合、ずれがあると判断する（ステップＳ１０９）。
このステップＳ１０９において、時分針２Ｂ，２Ｃにずれがあると判断された場合、時分針位置検出手段２０５、時分針駆動制御手段１１８、および秒針駆動制御手段１１７を制御して、計時手段１１２にてカウントされる内部時刻の時分計数まで各指針２を移動させ、ずれを補正する（ステップＳ１１０）。
【００５７】
例えば、図８に示すように秒針２Ａの指針位置が補正された場合、時分針位置検出制御手段１１４は、フラグ情報が「１」であることを認識し、時分針２Ｂ，２Ｃの位置検出を実施する。この際、計時手段１１２により計時される内部時刻が１時１５分００秒である場合、例えば時分針２Ｂ，２Ｃを１時間１５分だけ巻戻しさせて、基準位置に移動させる制御をし、ステップＳ１０８の時分針２Ｂ，２Ｃの位置検出を実施する。図８の例では、１時１４分００秒を指しているので、１時間１５分００秒を巻戻しした場合、２３時５９分００秒の位置に移動してしまい、時分検出信号が出力されない。
この場合は、時分針位置検出制御手段１１４は、時分針２Ｂ，２Ｃにずれがあると判断し、時刻修正手段１１６に時分修正命令信号を出力する。時刻修正手段１１６は、時分修正命令信号を認識すると、時分針位置検出手段２０５から時分検出信号が出力されるまで、各指針２を高速で早送りまたは巻戻しさせ、図９に示すように、各指針２を基準位置に移動させる。この後、時刻修正手段１１６は、計時手段１１２によりカウントされる内部時刻を参照し、図１０に示すように、各指針２を内部時刻で計時される適切な位置まで移動させて、ずれを補正する。
【００５８】
また、電子時計１は、ステップＳ１０６における０時および１２時を判断する定期時分針位置検出時で、ステップＳ１０９において、時分針２Ｂ，２Ｃのずれがないと判断された場合、そのまま通常の運針動作を続行する。
一方、ステップＳ１０７において、フラグ情報が「１」であると判断され、ステップＳ１０９において、ずれがないと判断された場合、各指針２が時分基準位置まで移動されている状態であるので、時刻修正手段１１６は内部時刻を参照して、各指針２を適切な指針位置に移動させる制御をする。
【００５９】
そして、ステップＳ１０７においてフラグ情報が「０」であると判断された場合、またはステップＳ１１０にて時分針２Ｂ，２Ｃのずれ補正の実施の後、電子時計１の日車位置検出制御手段１１５は、計時手段１１２にて計時される内部時刻を参照し、内部時刻が日付基準時刻である１日になったか否かを判断する（ステップＳ１１１）。
また、ステップＳ１１１において、日車位置検出制御手段１１５は、日付基準時刻でないと判断した場合、記憶回路に記録されているフラグ情報を参照し、フラグ情報が秒針２Ａにずれがあった旨の「１」が記録されているかを判断する（ステップＳ１１２）。
そして、日車位置検出制御手段１１５は、ステップＳ１１１において、内部時刻が日付基準時刻であると判断した場合、およびステップＳ１１２において、フラグ情報に「１」が記録されていると判断した場合、日車位置検出手段２０６を制御して日車３０の位置検出を実施させる（ステップＳ１１３）。
【００６０】
具体的には、ステップＳ１１１にて内部時刻が１日であると判断された場合（定期日車位置検出）、日車位置検出制御手段１１５は、日車位置検出手段２０６のフォトセンサの発光素子から光を発光させ、受光素子から日車検出信号の入力があるか否かを検出する。また、ステップＳ１１２において、フラグ情報が「１」であると判断された場合、日車位置検出制御手段１１５は、日車駆動制御手段１１９に日車３０を内部時刻に対応する駆動量だけ早送りまたは巻戻しさせる制御をし、受光素子から日車検出信号の入力があるか否かを判断する。そして、日車位置検出制御手段１１５は、受光素子から日車検出信号の入力がある場合、ずれがないと判断し、日車検出信号の入力がない場合ずれがあると判断する（ステップＳ１１４）。
このステップＳ１１４において、日車３０にずれがあると判断された場合、日車位置検出手段２０６および日車駆動制御手段１１９を制御して、計時手段１１２にてカウントされる内部時刻の日付計数まで日車３０を移動させ、ずれを補正する（ステップＳ１１５）。
【００６１】
例えば、図１０に示すように秒針２Ａおよび時分針２Ｂ，２Ｃの指針位置が補正された後、日車位置検出制御手段１１５は、フラグ情報が「１」であることを認識し、日車３０の位置検出を実施する。この際、例えば計時手段１１２にて計時される日付計数が１５日である場合、例えば日車３０を１４日分だけ巻戻しさせて、日車基準位置に移動させる制御をし、ステップＳ１１３の日車３０の位置検出を実施する。図１０の例では、１６日を指しているので、１４日分を巻戻しした場合、「２日」の位置に移動してしまい、日車検出信号が出力されない。この場合は、時刻修正手段１１６は、日車位置検出手段２０６から日車検出信号が出力されるまで、各指針２を高速で早送りまたは巻戻しさせ、図１１に示すように、日車３０を日車基準位置に移動させる。この後、時刻修正手段１１６は、計時手段１１２によりカウントされる内部時刻を参照し、図１２に示すように、日車３０を内部時刻で計時される適切な位置（図１２の例では１５日）まで移動させて、ずれを補正する。
【００６２】
なお、ステップＳ１１１の１日か否かを判断する定期日車位置検出時において、ステップＳ１１４でずれがないと判断された場合、そのまま通常の運針動作を続行する。一方、ステップＳ１１２において、フラグ情報が「１」であると判断され、ステップＳ１１４において、ずれがないと判断された場合、日車３０が日車基準位置まで移動されている状態であるので、時刻修正手段１１６は内部時刻を参照して、日車３０を適切な位置に移動させる制御をする。
この後、秒針位置検出手段２０４は、記憶回路に記憶されるフラグ情報に「０」を記録（ステップＳ１１６）してリセットし、一連の時刻修正動作処理が終了する。
【００６３】
〔電子時計の作用効果〕
上述したように、上記第一の実施の形態の電子時計１では、秒針位置検出制御手段１１３、時分針位置検出制御手段１１４、および日車位置検出手段２０６は、秒針位置検出手段２０４、時分針位置検出手段２０５、および日車位置検出手段２０６の定期位置検出（定期秒針位置検出、定期時分針位置検出、定期日車位置検出）を実施させる。そして、各指針２や日車３０の位置がずれている場合、時刻修正手段１１６は、計時手段１１２にて計時される内部時刻に対応する位置に各指針２および日車３０を移動させる制御をする。また、秒針位置検出手段２０４は、定期秒針位置検出時に、秒針２Ａにずれがあると判断した場合、フラグ情報を秒針２Ａがずれていた旨の「１」に書き換える。そして、時分針位置検出制御手段１１４および日車位置検出制御手段１１５は、秒針位置検出手段２０４によりフラグ情報が「１」に更新されると、時分針２Ｂ，２Ｃおよび日車３０の位置検出を実施させる。そして、時刻修正手段１１６は、時分針２Ｂ，２Ｃや日車３０がずれている場合にはその位置を修正させる制御をする。
このため、電子時計１は、秒針２Ａがずれている場合に、時分針２Ｂ，２Ｃおよび日車３０の位置修正を、通常の定期時分針位置検出や定期日車位置検出よりも早く実施することができる。したがって、時刻がずれている場合に、長時間時刻ずれが放置されることがなく、より早く時分針２Ｂ，２Ｃや日車３０の位置を修正することができ、正確な時間を表示させることができる。
【００６４】
また、時分針位置検出制御手段１１４は、ステップＳ１０６において、内部時刻が０時または１２時でない場合、すぐにステップＳ１０７を実施してフラグ情報が「１」であるか否かを判断し、「１」である場合にステップＳ１０８の時分針２Ｂ，２Ｃの位置検出を実施する。すなわち、時分針位置検出制御手段１１４は、秒針２Ａの位置がずれていてフラグ情報が「１」に書き換えられると、定期時分針位置検出を待たずに、即座に時分針２Ｂ，２Ｃの位置検出を実施し、ずれている場合は時刻補正を実施する。同様に、日車位置検出制御手段１１５も、ステップＳ１１１において、内部時刻が１日でない場合、すぐにステップＳ１１２を実施してフラグ情報が「１」であるか否かを判断し、「１」である場合にステップＳ１１３の日車３０の位置検出を実施する。
ここで、時分針２Ｂ，２Ｃや日車３０の位置がずれている場合、秒針２Ａの位置もずれていることが多い。したがって、上記のように、秒針２Ａの位置検出時において、秒針２Ａがずれていると判断された場合に、即座に時分針２Ｂ，２Ｃおよび日車３０の位置検出を実施することで、時分針２Ｂ，２Ｃや日車３０の位置ずれを即座に検出することができ、時分針２Ｂ，２Ｃや日車３０の時刻補正を秒針２Ａの定期秒針位置検出の間隔である６０秒間隔で実施することができる。よって、時刻のずれが長時間放置されることがなく、正確な時刻をより長時間表示させることができる。
【００６５】
さらに、電子時計１では、秒針２Ａの位置補正が実施された際に、フラグ情報を「１」に書き換え、時分針位置検出制御手段１１４および日車位置検出制御手段１１５は、このフラグ情報が「１」に書き換えられたことを認識すると、それぞれ時分針２Ｂ，２Ｃおよび日車３０の位置検出を実施する。このため、秒針２Ａの時刻補正時に、時分針２Ｂ，２Ｃの時刻補正だけではなく、日車３０の日付の補正をも実施することができ、より正確な時刻を表示させることができる。また、この際、フラグ情報が「１」に切り替わったか否かを判断するだけでよいため、時分針位置検出制御手段１１４および日車位置検出制御手段１１５の構成も簡単にでき、複雑な処理が不要のため、処理に要する負荷も軽減させることができ、消費電力も抑えることができる。
【００６６】
［第二の実施の形態］
次に本発明に係る第二の実施の形態の電子時計について、説明する。図１３は、第二の実施の形態の概略構成を示すブロック図である。なお、図１３において、第一の実施の形態の電子時計１と同一の構成については、同符号を付し、その説明を簡略または省略する。
【００６７】
〔電子時計の構成〕
第二の実施の形態の電子時計１Ａは、第一の実施の形態の電子時計１と略同一の構成を有するものであり、第一の実施の形態の電子時計１におけるマイコン部１００の制御回路部１１０を変形したものである。
すなわち、第二の実施の形態の電子時計１Ａにおけるマイコン部１００の制御回路部１１０は、図１３に示すように、受信手段１１１と、計時手段１１２と、第一時刻表示位置判断手段としても機能する秒針位置検出制御手段１１３Ａと、記録手段としての補正回数記憶回路１２０と、回数データ処理手段としての回数データ処理手段１２１と、第二時刻表示位置判断手段としても機能する時分針位置検出制御手段１１４Ａと、第二時刻表示位置判断手段としても機能する日車位置検出制御手段１１５Ａと、秒針駆動制御手段１１７と、時分針駆動制御手段１１８と、日車駆動制御手段１１９と、を備えている。
【００６８】
秒針位置検出制御手段１１３Ａは、第一の実施の形態の秒針位置検出制御手段１１３と同様に、定期秒針位置検出の処理を制御する。また、秒針位置検出制御手段１１３Ａは、秒針位置検出手段２０４から秒針検出信号が入力されると、秒針２Ａが基準位置に運針されたと判断し、秒針検出信号が入力されない場合、秒針２Ａがずれていると判断する。
なお、第一の実施の形態の秒針位置検出制御手段１１３は、フラグ情報を記録する記憶回路を有していたが、第二の実施の形態では、記憶回路が設けられない。
【００６９】
補正回数記憶回路１２０は、時刻修正手段１１６により秒針２Ａの位置補正が実施された回数Ａに関する回数情報を記録する。
【００７０】
回数データ処理手段１２１は、時刻修正手段１１６により秒針２Ａの位置補正が実施された際、補正回数記憶回路１２０に記憶される回数情報に記録されている回数Ａに所定の数（例えば１）を加算し、回数情報を更新する。
【００７１】
時分針位置検出制御手段１１４Ａは、第一の実施の形態の時分針位置検出制御手段１１４と同様に、定期時分針位置検出の動作を制御する。また、時分針位置検出制御手段１１４Ａは、時分針位置検出手段２０５から時分針検出信号が入力されると、時分針２Ｂ，２Ｃが基準位置に運針されたと判断し、時分針検出信号が入力されない場合、時分針２Ｂ，２Ｃがずれていると判断する。
【００７２】
また、時分針位置検出制御手段１１４Ａは、補正回数記憶回路１２０に記憶される回数情報を常時参照し、この回数情報が、所定の回数（例えば３回）に達したか否かを判断する。そして、時分針位置検出制御手段１１４Ａは、回数情報が所定の回数に達したと判断すると、時分針２Ｂ，２Ｃの位置検出を実施する。
【００７３】
日車位置検出制御手段１１５Ａは、第一の実施の形態の日車位置検出制御手段１１５と同様に、定期日車位置検出の処理を実施し、日車３０がずれているか否かを判断する。
また、日車位置検出制御手段１１５Ａは、補正回数記憶回路１２０に記憶される回数情報を常時参照し、この回数情報が、所定の回数（例えば３回）に達したか否かを判断する。そして、日車位置検出制御手段１１５Ａは、回数情報が所定の回数に達したと判断すると、日車３０の位置検出を実施する。
【００７４】
〔電子時計の動作〕
上述したような第二の実施の形態における電子時計１Ａの時刻修正処理について説明する。図１４は、第二の実施の形態における電子時計の自動時刻修正処理を示すフローチャートである。
【００７５】
第二の実施の形態における自動時刻修正動作では、第一の実施の形態の電子時計１と略同様の処理と同様に、電子時計１Ａは、ステップＳ１０１ないしステップＳ１０３の処理を実施し、ステップＳ１０３において、秒針２Ａにずれがあると判断された場合、ステップＳ１０４の処理により、秒針２Ａのずれを補正する。
このステップＳ１０４の後、回数データ処理手段１２１は、補正回数記憶回路１２０に記録される回数情報の回数Ａに１を加算し、回数情報を更新する（ステップＳ２０１）。
【００７６】
この後、ステップＳ１０３において秒針２Ａにずれがないと判断された後、またはステップＳ２０１の補正回数の更新処理の後、電子時計１Ａの時分針位置検出制御手段１１４Ａは、ステップＳ１０６の処理を実施し、計時手段１１２にて計時される内部時刻が時分基準時刻か否かを判断する。
また、ステップＳ１０６において、時分針位置検出制御手段１１４Ａは、時分基準時刻でないと判断した場合、補正回数記憶回路１２０に記録されている回数情報の回数Ａが所定の回数（本実施の形態では３回）に達したか否かを判断する。（ステップＳ２０２）。
【００７７】
そして、時分針位置検出制御手段１１４Ａは、ステップＳ１０６において、内部時刻が時分基準時刻であると判断した場合、およびステップＳ２０２において、回数情報の回数Ａが「３」以上であると判断した場合、ステップＳ１０８およびステップＳ１０９の処理、すなわち時分針位置検出手段２０５を制御して時分針２Ｂ，２Ｃの位置検出を実施させ、時分針２Ｂ，２Ｃにずれがあるか否かを判断する。このステップＳ１０９において、ずれがある場合は、ステップＳ１１０を実施して、時分針２Ｂ，２Ｃのずれを補正する。
【００７８】
その後、ステップＳ２０２において回数情報の回数Ａが所定の回数である「３」に達していないと判断された場合、またはステップＳ１１０にて時分針２Ｂ，２Ｃのずれ補正が実施された後、電子時計１Ａの日車位置検出制御手段１１５Ａは、ステップＳ１１１の処理、すなわち、計時手段１１２にて計時される内部時刻が日付基準時刻である１日になったか否かを判断する。
また、ステップＳ１１１において、日車位置検出制御手段１１５Ａは、日付基準時刻でないと判断した場合、補正回数記憶回路１２０に記録されている回数情報の回数Ａを参照し、回数Ａが「３」以上であるか否かを判断する（ステップＳ２０３）。
そして、日車位置検出制御手段１１５Ａは、ステップＳ１１１において、内部時刻が日付基準時刻であると判断した場合、およびステップＳ２０３において、回数情報が「３」に達していると判断した場合、ステップＳ１１３およびステップＳ１１４の処理を実施し、日車位置検出手段２０６を制御して日車３０の位置検出を実施し、日車３０がずれているか否かを判断する。
【００７９】
このステップＳ１１４において、日車３０にずれがあると判断された場合、ステップＳ１１５の処理により、時刻修正手段１１６は、日車位置検出手段２０６および日車駆動制御手段１１９を制御して、計時手段１１２にてカウントされる内部時刻の日付計数まで日車３０を移動させ、ずれを補正する。また、このステップＳ１１５の後、回数データ処理手段１２１は、補正回数記憶回路１２０に記録される回数情報をリセットし、回数情報の回数Ａを「０」にする（ステップＳ２０４）。
【００８０】
〔電子時計の作用効果〕
上述したように、上記第二の実施の形態の電子時計１Ａでは、秒針２Ａがずれた回数Ａが所定の回数に達すると、時分針位置検出制御手段１１４Ａおよび日車位置検出制御手段１１５Ａは、時分針２Ｂ，２Ｃおよび日車３０の位置を検出する。そして、時刻修正手段１１６は、これらの位置にずれがある場合は、時分針２Ｂ，２Ｃおよび日車３０の位置を補正する制御をする。
このため、秒針２Ａのずれが所定の回数になる場合に、定期時分針位置検出や定期日車位置検出の検出周期より早く時分針２Ｂ，２Ｃや日車３０の位置検出を実施させ、その位置を補正することができる。したがって、電子時計１Ａにおいても、第一の実施の形態の電子時計１と同様に、通常の定期時分針位置検出や定期日車位置検出よりも早く実施することができ、時刻がずれている場合に、長時間時刻ずれが放置されることがなく、より早く時分針２Ｂ，２Ｃや日車３０の位置を修正することができ、正確な時間を表示させることができる。
【００８１】
また、回数情報の回数Ａが所定の回数以上となった場合に、時分針位置検出制御手段１１４Ａおよび日車位置検出制御手段１１５Ａは、回数情報の回数Ａが所定の回数以上となった場合に、時分針２Ｂ，２Ｃおよび日車３０の位置を検出させる。すなわち、秒針２Ａの駆動量に対し、時分針２Ｂ，２Ｃおよび日車３０の駆動量は少ないため、秒針２Ａが一度ずれた程度で、時分針２Ｂ，２Ｃや日車３０がずれることは少なく、秒針２Ａが所定回数ずれると、時分針２Ｂ，２Ｃや日車３０にも影響が生じ、ずれが生じる。このため、第二の実施の形態の電子時計１Ａのように、秒針２Ａが所定の回数（例えば３回）ずれた場合に時分針２Ｂ，２Ｃおよび日車３０の位置検出を実施する構成とすることで、時分針２Ｂ，２Ｃや日車３０が長時間ずれた位置を指す不都合を十分に回避することができる。また、第一の実施の形態の電子時計１に比べて、秒針２Ａのずれに伴う時分針２Ｂ，２Ｃおよび日車３０の位置検出回数を減らすことができるので、電子時計１Ａの省電力化にも貢献できる。
【００８２】
〔他の実施の形態〕
なお、本発明は前述の実施形態に限定されるものではなく、本発明の目的を達成できる範囲での変形、改良等は本発明に含まれるものである。
【００８３】
すなわち、上記第一および第二の実施の形態では、第一検出手段として、フォトセンサを設ける構成としたが、これに限定されず、例えば秒検出車２２３や秒中間車２２１の周上に磁気パターンを形成し、この磁気パターンをホール素子などで読み取ることによって秒針２Ａの位置を検出する構成としてもよい。第二検出手段としても、二番車２７３や筒車２７５の周上に磁気パターンを形成し、磁気パターンをホール素子などで読み取ることで時分針２Ｂ，２Ｃの位置を検出する構成としてもよい。
このような構成では、各指針２が基準位置に運針された場合のみならず、各指針が現在どこに位置しているかが詳細に検出することができる。したがって、ステップＳ１０７やステップＳ１１２においてフラグ情報が１であると判断された場合、ステップＳ２０２やステップＳ２０３において回数情報の回数Ａが３以上であると判断された場合、時分針２Ｂ，２Ｃや日車３０を内示部時刻に対応した駆動量だけ早送りまた巻戻しさせ、時分基準位置や日車基準位置に戻したうえ、時分針２Ｂ，２Ｃや日車３０の位置検出を実施する処理が不要となり、より迅速に時分針２Ｂ，２Ｃや日車３０の位置検出を実施することができる。
【００８４】
また、上記第一および第二の実施の形態において、定期秒針位置検出の後、秒針２Ａにずれがある場合、または秒針２Ａのずれが所定の回数以上となった場合に、時分針２Ｂ，２Ｃおよび日車３０の位置検出を実施する構成としたが、これに限定されず、例えば時分針２Ｂ，２Ｃのみの位置検出を実施する構成などとしてもよい。この場合、時分針２Ｂ，２Ｃの位置を検出したのち、時分針２Ｂ，２Ｃにずれがある場合または時分針２Ｂ，２Ｃにずれが生じた回数が所定の回数を越えた場合に日車３０の位置検出および時刻補正を実施する構成としてもよい。
さらに、定期秒針位置検出において秒針２Ａのずれがある場合に時分針２Ｂ，２Ｃの位置検出処理を実施し、秒針２Ａのずれが所定回数以上となった場合に日車３０の位置検出を実施する構成などとしてもよい。
【００８５】
また、上記第一の実施の形態において、秒針２Ａのずれが検出されると、即座に時分針２Ｂ，２Ｃの位置検出および日車３０の位置検出を実施する構成を示したが、これに限定されない。例えば、秒針２Ａのずれが検出されると、時分針２Ｂ，２Ｃの位置検出を３０分後に実施するなどの構成としてもよい。この場合でも、定期時分針位置検出の周期である１時間よりも早く時分針２Ｂ，２Ｃの位置検出を実施することができる。
【００８６】
さらに、例えば衝撃や磁界を検出して、各指針２や日車３０位置検出を実施する構成なども考えられる。この場合、例えば、電子時計１に衝撃検出センサや磁界検出センサを設ける。そして、これらの衝撃検出センサや磁界検出センサにて所定強さ以上の衝撃や磁力を検出すると、秒針位置検出制御手段１１３、時分針位置検出制御手段１１４および日車位置検出制御手段１１５は、それぞれ秒針２Ａ、時分針２Ｂ，２Ｃ、および日車３０の位置検出を実施して計時手段１１２により計時される内部時刻と比べてずれているか否かを判断する。そして、秒針２Ａ、時分針２Ｂ，２Ｃ、および日車３０の位置ずれている場合、時刻修正手段１１６は、内部時刻に対応する適切な位置に秒針２Ａ、時分針２Ｂ，２Ｃ、および日車３０を移動させる制御をする。このような構成では、より衝撃や磁界の変化などによる各指針２や日車３０のずれを迅速に検出することができ、正確な時間が表示される期間をより長くすることができる。
【００８７】
その他、本発明の実施の際の具体的な構造および手順は、本発明の目的を達成できる範囲で他の構造などに適宜変更できる。
【図面の簡単な説明】
【００８８】
【図１】本発明に係る第一の実施の形態に係る電子時計の構成を示すブロック図である。
【図２】前記第一の実施の形態における電子時計を裏蓋側から見た平面図である。
【図３】前記第一の実施の形態における電子時計の側断面図である。
【図４】図２の部分拡大図であり、指針駆動部の構成を示す平面図である。
【図５】前記第一の実施の形態における電子時計の五番車、三番車、二番車、四番車、および筒車の側断面図である。
【図６】前記第一の実施の形態の電子時計の自動時刻修正動作におけるフローチャートである。
【図７】計時手段にて計時されている内部時刻（１５日０１時１５分００秒）において、秒針、時分針、日付がずれている状態（１６日０１時１４分０１秒）を示す図である。
【図８】図７に示される状態から秒針を補正した状態を示す図である。
【図９】図８に示される状態から時分針を時分基準位置に移動させた状態を示す図である。
【図１０】図９に示される状態から時分針の位置を補正した状態を示す図である。
【図１１】図１０に示される状態から日車を日車基準位置に移動させた状態を示す図である。
【図１２】図１１に示される状態から日車の位置を補正した状態を示す図である。
【図１３】本発明に係る第二の実施の形態に係る電子時計の構成を示すブロック図である。
【図１４】前記第二の実施の形態における電子時計の自動時刻修正処理を示すフローチャートである。
【符号の説明】
【００８９】
２Ａ…第一時刻表示手段としての秒針、２Ｂ…第二時刻表示手段としての分針、２Ｃ…第二時刻表示手段としての時針、３０…第二時刻表示手段としての日車、１１２…計時手段、１１３…第一時刻表示位置判断手段としても機能する秒針位置検出制御手段、１１４…第二時刻表示位置判断手段としても機能する時分針位置検出制御手段、１１５…第二時刻表示位置判断手段としても機能する日車位置検出制御手段、１１６…時刻修正手段、１１７…第一時刻表示駆動手段を構成する秒針駆動制御手段、１１８…第二時刻表示駆動手段を構成する時分針駆動制御手段、１１９…第二時刻表示駆動手段を構成する日車駆動制御手段、１２０…記録手段としての補正回数記憶回路、１２１…回数データ処理手段、２０１…第一時刻表示駆動手段を構成する秒針駆動機構、２０２…第二時刻表示駆動手段を構成する時分針駆動機構、２０３…第二時刻表示駆動手段を構成する日車駆動機構、２０４…第一検出手段としての秒針位置検出手段、２０５…第二検出手段としての時分針位置検出手段、２０６…第二検出手段としての日車位置検出手段。
【図１】
2009186379.tif 000003
【図２】
2009186379.tif 000004
【図３】
2009186379.tif 000005
【図４】
2009186379.tif 000006
【図５】
2009186379.tif 000007
【図６】
2009186379.tif 000008
【図７】
2009186379.tif 000009
【図８】
2009186379.tif 000010
【図９】
2009186379.tif 000011
【図１０】
2009186379.tif 000012
【図１１】
2009186379.tif 000013
【図１２】
2009186379.tif 000014
【図１３】
2009186379.tif 000015
【図１４】
2009186379.tif 000016